(57)【要約】      （修正有）【課題】部品の共通化を促進した振動子用ベース及びこれを用いた表面実装振動子を提供する。【解決手段】両主面に形成された一対の励振電極から引出電極の延出した水晶片２の外周部ニ個所と電気的に接続する内部水晶端子６ｂ，６ｃをベース上に備えた水晶振動子用ベース１において、前記ベース上の４隅部のうち一端部の両辺側と他端部の一辺側に前記内部水晶端子６ｂ，６ｃが形成され、前記ベースの一辺側の内部水晶端子が共通接続された構成とする。あるいは、前記ベース上の４隅部に前記内部水晶端子６ａ，６ｂ，６ｃが形成され、前記ベースの一辺側の内部水晶端子６ｂ，６ｃが共通接続された構成とする。【選択図】図１
2004153451.tif 000002
【特許請求の範囲】
【請求項１】
両主面に形成された一対の励振電極から引出電極の延出した水晶片の外周部二個所と電気的に接続する内部水晶端子をベース上に備えた水晶振動子用ベースにおいて、前記ベース上の４隅部のうち一端部の両辺側と他端部の一辺側に前記内部水晶端子が形成され、前記ベースの一辺側の内部水晶端子が共通接続されたことを特徴とする水晶振動子用ベース。
【請求項２】
請求項１の水晶振動子用ベースを用いて、引出電極が延出した水晶片の一端部両側を前記ベースの一端部の内部水晶端子に接続した表面実装振動子。
【請求項３】
両主面に形成された一対の励振電極から引出電極の延出した水晶片の外周部ニ個所と電気的に接続する内部水晶端子をベース上に備えた水晶振動子用ベースにおいて、前記ベース上の４隅部に前記内部水晶端子が形成され、前記ベースの一辺側の内部水晶端子が共通接続されたことを特徴とする水晶振動子用ベース。
【請求項４】
請求項１の水晶振動子用ベースを用いて、引出電極が延出した水晶片の対角部を前記ベースの対角部に設けられた前記内部水晶端子に接続した表面実装振動子。
【発明の詳細な説明】
【０００１】
【発明の属する技術分野】
本発明は水晶振動子用ベース（以下、振動子用ベースとする）及びこれを用いた表面実装振動子を産業上の技術分野とし、特に外部水晶端子の位置を選択できる振動子用ベースに関する。
【０００２】
【従来の技術】
（発明の背景）表面実装振動子は小型・軽量であることから、特に携帯型の電子機器に周波数及び時間の基準源として採用される。近年では、セット基板の回路パターンに応じて、外部水晶端子の位置が要求されている。
【０００３】
（従来技術の一例）第４図乃至第６図は一従来例を説明する図で、第４図（ａｂ）は表面実装振動子の断面図、第５図（ａｂ）は水晶片の平面図、第６図（ａｂ）は振動子用ベースの金属リングを除く平面図、同図（ｃ）は底面図である。
【０００４】
表面実装振動子は、積層セラミックからなる凹状とした振動子用ベース１に水晶片２を収容し、金属カバー３を被せて密閉封入してなる。振動子用ベース１は底壁４と枠壁５からなり、底壁４の露出した内表面には一対の内部水晶端子６（ａｂ）を有する。一対の内部水晶端子６（ａｂ）は例えば一端部両側「第６図（ａ）」あるいは両端部「同図（ｂ）」に形成される。
【０００５】
水晶片２は両主面に励振電極７（ａｂ）を有し、一端部両側「第５図（ａ）」あるいは両端部「同図（ｂ）」に引出電極８（ａｂ）を折り返して延出する。そして、内部水晶端子６（ａｂ）上に導電性接着剤９によって固着され、電気的・機械的に接続（保持）される。そして、一端部両側保持「第４図（ａ）」あるいは両端部保持「同図（ｂ）」とする。
【０００６】
このようなものでは、例えば一端部両側に設けられた一対の内部水晶端子６（ａｂ）は、一組の対角方向「第６図（ａｃ）」あるいは一端部両側「同図（ｂｃ）」に設けられた外部水晶端子１０（ａｂ）に、円弧状のスルーホール等を含めた導電路１１によって接続する。そして、金属カバー３は他組の対角方向あるいは他端部両側に設けられた外部アース端子１０（ｃｄ）に側壁中のスルーホール１２等によって電気的に接続する。
【０００７】
【発明が解決しようとする課題】
（従来技術の問題点）しかしながら、上記構成の表面実装振動子では、一端部両側及び両端部を保持した場合でも、一端部両側あるいは対角方向に対をなす外部水晶端子１０の位置に応じて、それぞれ振動子用ベース１を必要とする。したがって、部品の共通化が計れない問題があった。
【０００８】
また、在庫のない仕様の注文があった場合には、新たに振動子用ベースを設計して、金型等を製作しなければならず即座の対応ができない問題もあった。なお、それぞれについて各周波数帯毎に振動子用ベース１を在庫すればよいが、この場合には在庫量も増えて生産性を低下させる。
【０００９】
（発明の目的）本発明は部品の共通化を促進した振動子用ベース及びこれを用いた表面実装振動子を提供することを目的とする。
【００１０】
【課題を解決するための手段】
本発明の請求項１では、ベース上の４隅部のうち一端部の両辺側と他端部の一辺側に内部水晶端子が形成され、前記ベースの一辺側の内部水晶端子が共通接続された構成とする。
【００１１】
これにより、引出電極が延出した水晶片の一端部両側を前記ベースの一端部の内部水晶端子に接続することにより（請求項２）、一端部両側及び対角方向に外部水晶端子を形成できる。したがって、振動子用ベースを共通部品化できる。
【００１２】
請求項３では、ベース上の４隅部に内部水晶端子が形成され、前記ベースの一辺側の内部水晶端子が共通接続された構成とする。
【００１３】
したがって、引出電極が延出した水晶片の対角部を前記ベースの対角部に設けられた前記内部水晶端子に接続することによって（請求項４）、一端部両側及び対角方向に外部水晶端子を形成できる。したがって、振動子用ベースを共通部品化できる。
【００１４】
【第１実施例】
第１図は本発明の第１実施例を説明する表面実装振動子の図で、特に振動子用ベースの金属リングを除く平面図である。なお、前従来例と同一部分には同番号を付与してその説明は簡略又は省略する。
【００１５】
表面実装振動子は前述したように凹状とした振動子用ベース１に水晶片２を収容し、カバー３を接合して密閉封入してなる（前第４図参照）。振動子用ベース１は内表面の一端部の両辺側と他端部の一辺側にそれぞれ内部水晶端子６（ａｂｃ）が形成される。一辺側の内部水晶端子６（ｂｃ）は導電路１１によって共通接続される。
【００１６】
そして、一端部の両辺側と他端部の一辺側の内部水晶端子６（ａｂｃ）は角部の積層面を経て外部水晶端子１０（ａｂｃ）に接続する。また、他端部の他辺側には外部アース端子１０ｄが形成され、枠壁のスルーホール１２を経て金属カバー３と接続する。
【００１７】
このような構成であれば、前第５図（ａ）に示した引出電極８（ａｂ）の延出した水晶片２の一端部両側を振動子用ベース１の一端部両側の内部水晶端子６（ａｂ）に接続すると、一端部両側と対角方向に対をなす外部水晶端子１０（ａｂ）及び１０（ａｃ）を得ることができる。したがって、ユーザによっていずれかを任意に選択できる。このことから、振動子用ベース１を共通部品化できる。
【００１８】
なお、この実施例では振動子用ベース１の他端部の他辺側にも図示しない枕台としての内部端子を設け、水晶片２の搭載時の安定度を高めて一端部両側の固着作業を容易にしてもよい。
【００１９】
【第２実施例】
第２図は本発明の第２実施例を説明する特に振動子用ベースの金属リングを除く平面図である。なお、前実施例同一部分の説明は簡略又は省略する。
第２実施例では、振動子用ベース１の内表面の４隅部に内部水晶端子６（ａｂｃｄ）を形成する。一辺側の水晶端子６（ｂｃ）は前述同様に導電路１１によって共通接続する。そして、一端部の両辺側と他端部の他辺側の内部水晶端子６（ａｂｄ）は同所の外部水晶端子１０（ａｂｄ）と接続する。また、他端部の一辺側の外表面には外部アース端子１０ｃが形成され、枠壁中のスルーホール１２を経て金属カバー３と接続する。
【００２０】
このようなものでは、例えば第３図（ａｂ）に示したように、水晶片２の引出電極８（ａｂ）を少なくとも一組の対角部に延出する。そして、水晶片２の引出電極８（ａｂ）の延出した対角部を振動子用ベース１の一組あるいは他組の対角部１０（ａｃ）あるいは１０（ｂｄ）に接続する。このようにすれば、一端部両側と一組あるいは他組の対角方向に対をなす外部水晶端子１０（ａｂ）又は１０（ａｃ）、１０（ｂｄ）を得ることができ、振動子用ベースを共通部品化できる。
【００２１】
【他の事項】
上記実施例では金属カバー３を使用して外部アース端子と接続したが、基本的にはガラスや樹脂等の絶縁カバーであったとしても適用できる。ただし、この場合は擬似端子あるいは他の外部水晶端子と共通接続される。
【００２２】
【発明の効果】
本発明は、ベース上の４隅部のうち一端部の両辺側と他端部の一辺側に内部水晶端子が形成され、前記ベースの一辺側の内部水晶端子が共通接続された構成とする。また、ベース上の４隅部に内部水晶端子が形成され、前記ベースの一辺側の内部水晶端子が共通接続された構成とする。したがって、部品の共通化を促進した振動子用ベース及びこれを用いた表面実装振動子を提供できる。
【図面の簡単な説明】
【図１】本発明の第１実施例を説明する表面実装振動子の図で、特に振動子用ベースの金属リングを除く平面図である。
【図２】本発明の第２実施例を説明する表面実装振動子の図で、特に振動子用ベースの金属リングを除く平面図である。
【図３】本発明の第２実施例に適用される水晶片の平面図である。
【図４】従来例を説明する表面実装振動子の断面図である。
【図５】従来例を説明する水晶片の平面図である。
【図６】従来例を説明する表面実装振動子の図で、同図（ａｂ）は振動子用ベースの金属リングを除く平面図、同図（ｃ）は底面図である。
【符号の説明】
１  振動子用ベース、２  水晶片、３  カバー、４  底壁、５  枠壁、６  内部水晶端子、７  励振電極、８  引出電極、９  導電性接着剤、１０  外部端子、１１  導電路、１２  スルーホール。
【図１】
2004153451.tif 000003
【図２】
2004153451.tif 000004
【図３】
2004153451.tif 000005
【図４】
2004153451.tif 000006
【図５】
2004153451.tif 000007
【図６】
2004153451.tif 000008